【事件の表示】
　特願２０００−２０４３８４「コイン検出装置」拒絶査定不服審判事件〔平成１３年１２月１１日出願公開、特開２００１−３４０５３１〕について、次のとおり審決する。
【結　論】
　本件審判の請求は、成り立たない。
【理　由】
１．手続の経緯
　本願は、平成１２年５月３１日の出願であって、平成１５年２月１９日付けで拒絶理由が通知され、これに対し同年６月１６日付けで手続補正がなされ、同年９月９日付けで拒絶査定がなされ、これに対し同年１０月１６日に拒絶査定に対する審判が請求されるとともに、同年１１月１７日付けで手続補正がなされたものである。
　
２．平成１５年１１月１７日付けの手続補正についての補正却下の決定
［補正却下の決定の結論］
　　平成１５年１１月１７日付けの手続補正（以下、「本件補正」という。）を却下する。
　
［理由］
（１）補正後の本願発明
　本件補正により、特許請求の範囲は、
「【請求項１】　払い出されたコインの通過枚数（「通貨枚数」と記載されているが、誤記と認める。）を検出するセンサーブラケットと、
　正規の払い出し枚数を受け取るための信号線と、
　前記センサーブラケットで検出されたコインの通過枚数を表示する７セグメント表示部と、
　前記センサーブラケットで検出されたコインの通過枚数と、前記信号線から受け取った正規の払い出し枚数とを比較又は判定し、コインの払い出し枚数が正常であれば前記７セグメント表示部を自動リセットし、コインの払い出しが不正又は異常であると判断した場合には、リセット押し釦が押されるまで前記７セグメント表示部に設けられたドット状の警報出力を表示し続けるコントロールユニットと、
を備えたコイン検出装置。
【請求項２】　前記７セグメント表示部は、前記コントロールユニットに設けられた７セグメント表示部によって構成されていることを特徴とする、請求項１に記載のコイン検出装置。
【請求項３】　前記センサーブラケットは、発光ダイオード及びフォトトランジスターからなることを特徴とする、請求項１又は２に記載のコイン検出装置。」
と補正された。
　まず、本件補正の請求項１について検討する。
　本件補正は、請求項１に記載した発明を特定するために必要な事項である「表示部」について「７セグメント表示部」と限定し、「前記表示部に設けられた警報出力を表示させる」構成を「リセット押し釦が押されるまで前記７セグメント表示部に設けられたドット状の警報出力を表示し続ける」と限定し、「コントローラ」を用語統一のために「コントロールユニット」と補正するとともに、「コントロールユニット」の機能に「コインの払い出し枚数が正常であれば前記７セグメント表示部を自動リセットし」という機能を追加するものである。
　ここで、作用でものを特定しようとする記載を用いた発明特定事項（本件の場合「コントロールユニット」）に対し、その作用とは別個の作用を有する発明特定事項は、概念的に下位のものとはしないのが通常である（審査基準第III部第II節4.3.2(2)を参照）。そして、本件補正における上記機能の追加は、上記「別個の作用を有する発明特定事項」の追加に相当するとも言えるが、該機能は、補正前においても「コントローラ」が当然有していた機能であり、請求項１に記載する事項の主要部でもないので、本件補正は特許法第１７条の２第４項第２号の特許請求の範囲の減縮を目的とするものに該当するものとして、検討を進めることとする。
　そこで、本件補正後の前記請求項１〜３に記載された発明（以下、「本願補正発明１〜３」という。）が特許出願の際独立して特許を受けることができるものであるか（平成１５年改正前特許法第１７条の２第５項において準用する同法第１２６条第４項の規定に適合するか）について以下に検討する。
　
（２）引用文献
　原査定の拒絶の理由に引用された特開２０００−０７０５００号公報（以下、「引用文献１」という。）には、パチンコ遊技機について、図面とともに、
【００２１】・・・また、この上皿１３には、カードユニット３に挿入された遊技カードの残度数を表示する残度数表示器１８、遊技球の貸し出しを受ける際に操作する球貸釦１９、及び、カードユニット３に挿入されている遊技カードをカードユニット３から排出させる際に操作する返却釦２０を設けてある。
【００２２】カードユニット３は、カードユニット３における電気的な制御を行うカードユニット制御装置２３と、遊技カードに記憶された度数情報の読み書き等を行うカードリーダライタ２４とを備えている。そして、カードリーダライタ２４によって読み出された遊技カードの残度数はカードユニット制御装置２３に記憶され、このカードユニット制御装置２３から残度数の情報が残度数表示器１８に出力されて表示される。また、球貸釦１９が操作されるとカードユニット制御装置２３は、記憶している残度数を所定度数減算する。そして、この減算後の残度数を残度数表示器１８に表示させる。これに伴い、パチンコ機本体２は、減らされた度数に相当する数の遊技球を、貸し球として上皿１３に排出する。
【００２６】・・・球貸用排出球数監視センサ４２ｂは、球排出ユニット３４が実際に排出した貸し球を検出するセンサであり、貸し球用の第２排出球検出手段（実貸球検出手段）として機能する。
【００４０】なお、この排出球数監視センサ４２は、上記した排出センサ５１と同様に、フォトセンサによっても構成することできる。
【００４２】・・・この蛇行流路部６４を流下する遊技球が排出球数監視センサ４２の貫通開口部６５を通過すると排出球数監視センサ４２から検出信号が出力され、遊技制御装置４３は、この検出信号に基づいて球排出ユニット３４が実際に排出した遊技球を監視する。
【００４５】・・・このカードユニット制御装置２３には、球貸釦（球貸操作部）１９からの操作信号が入力され、また、カードユニット制御装置２３からは、残度数表示器（球貸表示部）１８への表示制御信号や、遊技制御装置４３への球貸制御信号がそれぞれ出力される。この球貸制御信号は、カードユニット制御装置２３から排出制御装置４１に出力する球貸制御信号と同じ信号であり、遊技制御装置４３は、この球貸制御信号に基づいて貸し球の数と貸し球の排出が行われるタイミングとを認識する。なお、この他に、カードユニット制御装置２３には、カードリーダライタ２４を電気的に接続してある（図１参照）。
【００５５】・・・繰り返し回数を設定したならば、カードユニット制御装置２３は、単位度数に相当する数（例えば、２５個）の遊技球を貸し球として排出させるための単位球貸制御信号（球貸制御信号の一種）を、排出制御装置４１、及び、遊技制御装置４３に出力する。同時に、記憶している残度数からこの単位度数を減算し、尚且つ、繰り返し回数を−１する。
【００５６】そして、カードユニット制御装置２３からの単位球貸制御信号を受信することにより、排出制御装置４１は球貸制御処理を行い、遊技制御装置４３は球貸排出数監視処理を行う。この球貸排出数監視処理において、遊技制御装置４３の制御部は、本願発明における排出球監視手段として機能し、球排出ユニット３４が実際に排出した貸し球を監視する。
【００５８】一方、球貸排出数監視処理では、遊技制御装置４３は、まず、単位球貸制御信号の受信を契機にして計時カウンタをスタートさせる。その後、単位度数に対応する貸し球数（例えば、２５個）をセットし、球貸用排出球数監視センサ４２ｂから送出される検出信号を待つ。そして、球貸用排出球数監視センサ４２ｂからの検出信号に基づいて球排出ユニット３４が実際に排出した貸し球を計数する。
【００５９】計時カウンタのカウント値に基づいて、貸し球の排出に必要な所定時間が経過したと判断したならば、遊技制御装置４３は、計数した貸し球数とセットした貸し球数とを比較する。そして、両貸し球数の一致により正しい数の貸し球が実際に排出されたものと判断する。このように、貸し球の排出が正常に行われた場合には、排出制御装置４１からカードユニット制御装置２３に出力された単位球貸完了信号に基づき、次の単位度数に対応する貸し球の排出を行う。
【００６０】一方、計数した貸し球数とセットした貸し球数とが一致しなかった場合には、遊技制御装置４３は、貸し球排出に異常があったと判断し、異常報知手段として機能して異常信号を異常ランプ７２に出力する。これにより、異常ランプ７２は発光し、遊技球の排出に異常が生じたことを店員等に知らせる。
　
との記載が認められ、これらの記載によれば、引用文献１には、
「排出した貸し球を検出する球貸用排出球数監視センサ４２ｂと、
　単位球貸制御信号を受信する手段と、
　遊技カードの残度数及び球貸釦１９が操作されると減算後の残度数を表示する残度数表示器１８と、
　前記球貸用排出球数監視センサ４２ｂからの検出信号に基づいて計数された貸し球と、前記単位球貸制御信号を受信することによりセットした単位度数に対応する貸し球数とを比較し、
　貸し球の排出が正常に行われた場合には、次の単位度数に対応する貸し球の排出を行い、
　貸し球排出に異常があったと判断した場合には、異常ランプ７２を発光させる遊技制御装置４３と、
を備えた排出球監視手段。」
の発明（以下「引用発明」という。）が開示されていると認めることができる。
　
　また、原査定の拒絶の理由に引用された特開２０００−１４０２１４号公報（以下、引用文献２という。）には、パチンコ遊技機について、図面とともに、
【００５２】・・・ステップＳ１０４において、払い出しカウンタＣの値を「０」にクリヤする。
【００５３】そして、ステップＳ１０５において、制御装置５０は、景品球払出装置４１のモータを駆動させる。・・・また、上述したように、払い出し通路には払い出される景品球を検出するための図示しない検出スイッチが設けられており、当該検出スイッチの検出結果に基づいて、払い出しカウンタＣの値が逐次「１」ずつインクリメントされるとともに、払い出し数計数カウンタＣＴＪの値も逐次「１」ずつカウントアップさせられる。
【００７５】また、払い出しデータや、指令値ｉや払い出しカウンタＣの値も、別途の基板に設けられたバックアップメモリに記憶しておくような構成としてもよい。このような構成とすることで、停電時において、一方のデータが消去されてしまった場合であっても、遊技者に対し景品球を補償することができる。
【００８９】（ｍ）前記実施の形態では特に言及しなかったが、払い出しランプ等において、遊技者にどれだけの払い出し数があるのかを報知するようにしてもよい（払い出し数報知手段を設けてもよい）。例えば、払い出しランプに液晶表示装置を設けておき、どの入賞口にどれだけの入賞があったのかを報知するとともに、払い出しの実行に伴いその表示値を減じると共に未払い出し数を表示するようにしてもよい。
【００９５】さらに、この場合、手動或いは遊技場関係者の指令により、景品球払出装置４１を駆動させて、景品球を還元することとしてもよい。また、還元後には、カウンタＣＴＳ，ＣＴＪをリセットできるような構成としてもよい。
　
との記載が認められ、これらの記載及び図９によれば、引用文献２には、
景品球払出装置において、払い出しの実行に伴いその表示値を減じると共に未払い出し数を表示する点及び景品球の還元後にはカウンタをリセットする点について開示されていると認めることができる。
　
（３）対比
　引用発明と本願補正発明１とを比較する。比較するに当たり、引用発明は遊技球を取り扱い、本願補正発明１はコインを取り扱っているが、遊技球、コインともに遊技媒体である点では共通しており、遊技球取り扱いのための技術をコイン用の装置に適用すること及びコイン取り扱いのための技術を遊技球用の装置に適用することは、いずれも従来普通に行われていることであるので（例えば、特開平６−１４２３２９号公報＜段落００２６＞、特開平６−１９０１０８号公報＜段落００６３＞、特開平１０−２３００７１号公報＜段落００２２＞を参照）、引用発明における貸し球は、本願補正発明１におけるコインと同等のものとして対比を行う。
　すると、引用発明の「排出した貸し球を検出する球貸用排出球数監視センサ４２ｂ」は、本願補正発明１の「払い出されたコインの通過枚数を検出するセンサーブラケット」に相当し、以下同様に、「単位球貸制御信号を受信する手段」は「正規の払い出し枚数を受け取るための信号線」に、「前記球貸用排出球数監視センサ４２ｂからの検出信号に基づいて計数された貸し球数」は「前記センサーブラケットで検出されたコインの通過枚数」に、「前記単位球貸制御信号を受信することによりセットした単位度数に対応する貸し球数」は「前記信号線から受け取った正規の払い出し枚数」に、「貸し球の排出が正常に行われた場合には」は「コインの払い出し枚数が正常であれば」に、「貸し球排出に異常があったと判断した場合」は「コインの払い出しが不正又は異常であると判断した場合」に、「遊技制御装置４３」は「コントロールユニット」に、「排出球監視手段」は「コイン検出装置」にそれぞれ相当する。
　また、引用発明の「残度数表示器１８」と本願補正発明１の「７セグメント表示部」は、数字を表示する表示部である点では共通しており、異常ランプ７２は異常が生じたことを店員等に知らせるものであって、その発光は継続して行われるものと認められるので、引用発明の「異常ランプ７２」は、警報出力を表示し続けるものである。
　さらに、引用発明においては、貸し球の排出が正常に行われた場合に、次の単位度数に対応する貸し球の排出を行っているが、そのためには、貸し球を計数するカウンタをリセットする必要があることは自明であるから、引用発明及び本願補正発明１ともにリセット動作を行う点では共通している。なお、景品球を払い出すに当たって、払い出しカウンタＣの値を「０」にクリヤする点は、引用文献２の図９及び段落００５２にも記載がある。
　
　以上を総合すると、両者は、
「払い出されたコインの通過枚数を検出するセンサーブラケットと、
　正規の払い出し枚数を受け取るための信号線と、
　数字を表示する表示部と、
　前記センサーブラケットで検出されたコインの通過枚数と、前記信号線から受け取った正規の払い出し枚数とを比較し、コインの払い出し枚数が正常であればリセット動作を行い、コインの払い出しが不正又は異常であると判断した場合には、警報出力を表示し続けるコントロールユニットと、
を備えたコイン検出装置。」
の点で一致し、以下の点で相違している。
　
［相違点１］
　本願補正発明１は、「センサーブラケットで検出されたコインの通過枚数を表示する７セグメント表示部」を備えているのに対し、
　引用発明においては、表示部が７セグメント表示かどうか不明であり、かつ、表示部には遊技カードの残度数を表示しており、表示内容が異なる点。
［相違点２］
　本願補正発明１は、「払い出し枚数が正常であれば前記７セグメント表示部を自動リセット」しているのに対し、
　引用発明においては、正常であれば次の単位度数に対応する貸し球の排出を行っており、表示部の自動リセットを行っていない点。
［相違点３］
　本願補正発明１は、コインの払い出しが不正又は異常であると判断した場合に表示される警報出力として、「リセット押し釦が押されるまで前記７セグメント表示部に設けられたドット状の表示」がされるのに対し、
　引用発明においては、警報出力をいつの時点まで表示し続けるのか不明である点、異常ランプ７２の形状及び設置箇所が不明である点。
　
（４）判断
［相違点１について］
　数字を表示する手段として７セグメント表示は、従来広く一般に用いられており、上記（２）で挙げた、引用文献２（特開２０００−１４０２１４号公報）＜段落００３５＞や原査定の拒絶の理由に引用された特開平１１−２２１３２０号公報（以下、「引用文献３」という。）＜段落００２６＞に記載されるように、遊技機においても同様であるから、数字を表示する表示部として７セグメント表示部を用いることは、当業者が適宜採用する事項である。
　また、引用文献２には（２）で述べたように、払い出しの実行に伴いその表示値を減じると共に未払い出し数を表示する点について開示され（特に、段落００８９を参照）、一般に最終的な数や量が決まっている時に、積み上げ数や量を表示するか、残り数や量を表示するかは、適宜選択されているので（例えば、マラソン等における距離表示）、未払い出し数を表示するのに換えて、払い出し数を表示することは、当業者が適宜採用し得る設計的事項である。
　さらに、引用発明の「残度数表示器１８」においても、遊技カードの残度数及び球貸釦１９が操作されると減算後の残度数が表示されることにより、払い出されるべき貸し球の数を示す機能は有しているので、該「残度数表示器１８」に換えて「センサーブラケットで検出されたコインの通過枚数を表示する７セグメント表示部」を設けることは、当業者が容易に想到し得るものである。
　
［相違点２について］
　（３）で述べたように、引用発明においては、貸し球の排出が正常に行われた場合には、次の単位度数に対応する貸し球の排出を行っており、そのためには、貸し球を計数するカウンタをリセットする必要があることは自明である。
　また、引用文献３には、賞球個数記憶値が賞球数カウンタのカウンタ値と一致すると判断された場合に、賞球数カウンタのカウンタ値をクリアし初期値に戻すことが記載されているので（段落０１１８を参照）、この技術を引用発明に適用して、貸し球の排出が正常に行われた場合に、貸し球を計数するカウンタをリセットすることは、当業者であれば容易に着想できる事項である。
　そして、払い出し枚数が正常なときコインの通過枚数を計数するカウンタが自動的にリセットされれば、センサーブラケットで検出されたコインの通過枚数を表示する７セグメント表示部における表示が初期状態に戻ることは明らかであるから、７セグメント表示部は自動リセットされることとなる。
　
［相違点３について］
　引用文献２には（２）で述べたように、景品球の還元後にはカウンタをリセットする点、すなわち異常な状態を解消した後にリセットを行うことについて開示され（特に、段落００９５を参照）、特開平１１−０７６５０４号公報には、コイン払い出しエラーが起こった時エラー表示がされ、係員がリセットスイッチ１５を操作してリセットされるまで待機する旨記載されており（特に、段落０１１０、０１７２を参照）、異常状態やエラー発生後にリセットして、その状態を解除することは、遊技機の分野において従来周知の技術である。
　また、引用文献１に明示はされていないが、引用発明においても異常ランプ７２の発光を停止する手段があることは当然であるから、引用発明に上記従来周知の技術を適用して、リセット押し釦を設け、該押し釦が押されることにより異常ランプ７２の発光が停止されるようにすることは、当業者が容易に想到し得る事項である。
　そして、異常ランプ７２として、遊技機において普通に使われているドット状の光源を採用することは、当業者が適宜実施し得ることであるとともに、２つの関連する表示を近接して配置することも、ごく普通に行われていることであるから、コインの通過枚数を表示する７セグメント表示部にドット状の警報表示部を設けることも、当業者にとって格別困難なことではない。
　
　さらに、本願補正発明１の作用効果も、引用発明等から当業者が予測できる範囲のものである。
　したがって、本願補正発明１は、引用発明、引用文献２、３記載の技術及び従来周知の技術に基づいて、当業者が容易に発明をすることができたものであるから、特許法第２９条第２項の規定により特許出願の際独立して特許を受けることができないものである。
　
（５）本願補正発明２及び３との対比及び判断
　本願補正発明２は、本願補正発明１の構成要件の１つである「７セグメント表示部」について、「コントロールユニットに設けられた」点を限定したものである。
　また、本願補正発明３は、本願補正発明１の構成要件の１つである「センサーブラケット」について、「発光ダイオード及びフォトトランジスターからなる」ものである点を限定したものである。
　しかし、引用文献３の段落００８０に、エラー表示器１５５が払出制御回路基板１５２に設けられる点について記載され、引用文献１には、排出球数監視センサ４２をフォトセンサによって構成することについても記載されている（段落００４０）。なお、引用文献１には発光ダイオードについて記載されてはいないが、段落００３３に「遊技球の通過により出力が変化するフォトセンサ」と記載されていることから見て、何らかの光源を対で有していることは明白であるとともに、発光ダイオードは最も普通に用いられている光源の１つである。
　よって、本願補正発明２及び３も、引用発明、引用文献２、３記載の技術及び従来周知の技術に基づき、当業者が容易に想到し得るものである。
　さらに、本願補正発明２及び３の作用効果も、引用発明等から当業者が予測できる範囲のものである。
　したがって、本願補正発明２及び３は、引用発明、引用文献２、３記載の技術及び従来周知の技術に基づいて、当業者が容易に発明をすることができたものであるから、特許法第２９条第２項の規定により特許出願の際独立して特許を受けることができないものである。
　
（６）むすび
　以上のとおり、本件補正は、平成１５年改正前特許法第１７条の２第５項において準用する同法第１２６条第４項の規定に違反するので、特許法第１５９条第１項の規定において読み替えて準用する同法第５３条第１項の規定により却下されるべきものである。
　
３．本願発明について
（１）補正前の本願発明
　平成１５年１１月１７日付けの手続補正は上記のとおり却下されたので、本願の請求項１〜３に係る発明（以下、「本願発明１〜３」という。）は、平成１５年６月１６日付け手続補正書の特許請求の範囲に記載された事項により特定される、以下のとおりのものである。
「【請求項１】　払い出されたコインの通過枚数を検出するセンサーブラケットと、
　正規の払い出し枚数を受け取るための信号線と、
　前記センサーブラケットで検出されたコインの通過枚数を表示する表示部と、
　前記センサーブラケットで検出されたコインの通過枚数と、前記信号線から受け取った正規の払い出し枚数とを比較又は判定し、コインの払い出しが不正又は異常であると判断した場合には、前記表示部に設けられた警報出力を表示させるコントローラと、
を備えたコイン検出装置。
【請求項２】　前記表示部は、７セグメント表示部によって構成されていることを特徴とする、請求項１に記載のコイン検出装置。
【請求項３】　前記センサーブラケットは、発光ダイオード及びフォトトランジスターからなることを特徴とする、請求項１又は２に記載のコイン検出装置。」
　
（２）引用文献
　原査定の拒絶の理由に引用された引用文献１、２及びその記載事項は、前記「２．（２）」に記載したとおりである。
　
（３）対比・判断
　本願発明１は、前記２．で検討した本願補正発明１における「７セグメント表示部」を「表示部」と上位概念化し、「コインの払い出し枚数が正常であれば前記７セグメント表示部を自動リセットし」という構成を削除するとともに、コインの払い出しが不正又は異常であると判断した場合のコントロールユニットの動作について「リセット押し釦が押されるまで前記７セグメント表示部に設けられたドット状の警報出力を表示し続ける」を「前記表示部に設けられた警報出力を表示させる」と広い概念にしたものであり、本願発明２は、本願発明１の「表示部」を「７セグメント表示部」と限定するものである。
　また、本願発明３は、前記「２．（５）」で検討した本願補正発明３と同様の限定を本願発明１に付するものである。　
　そうすると、本願発明１〜３の構成要件を全て含み、さらに構成要件を追加した本願補正発明１及び３が、前記「２．（４）」、「２．（５）」に記載したとおり、引用発明等に基づいて、当業者が容易に発明をすることができたものであるから、本願発明１〜３も、同様の理由により、引用発明、引用文献２、３記載の技術及び従来周知の技術に基づいて、当業者が容易に発明をすることができたものである。
　
（４）むすび
　以上のとおり、本願発明１〜３は、引用発明、引用文献２、３記載の技術及び従来周知の技術に基づいて、当業者が容易に発明をすることができたものであるから、特許法第２９条第２項の規定により特許を受けることができない。
　
　よって、結論のとおり審決する。